(57)【要約】【課題】ゴルファーのスイング動作によって受ける風圧によって、スイング練習具の先端側に設けられた傘体が開き、当該風圧を受けた傘体の抵抗によって、スイング動作におけるゴルファーの前腕が引っ張られて伸びると共に、腕の振りが遅れることによって、ゴルファーの腰の捻りが腕の振りに先行し、腕の振りと腰の捻りでゴルフボールを捕らえることができ、かつ、シャフト先端側に設けられた傘体がスイングにより開くことによって、ゴルフボールをインパクトすべき位置で開くようにスイング練習をすることによりゴルフクラブのヘッドスピードが最大となる位置でボールをインパクトすることを習得できるようにする。【解決手段】一端側にグリップ部を有するシャフト１００と、シャフトの他端側に開閉可能に設けられた傘体２００とを備えたゴルフ・スイング・インパクト練習具１において、ゴルファー５００のスイングによって前記傘体２００が開くように構成する。【選択図】  図１
2004313436.tif 000002
【特許請求の範囲】
【請求項１】
ゴルフのスイング練習具において、
シャフトの端部側に設けられ、スイング動作によって開くことにより、スイング動作を行っている使用者の腕に抵抗を与えると共に、所定の風圧を受けることによって、開いた状態でロックされるように構成された傘体を備えていることを特徴とするゴルフのスイング練習具。
【請求項２】
ゴルフのスイング練習具において、
シャフトの端部側にスイング動作に伴って開く傘体を設け、前記傘体がボールをインパクトすべき位置で開くようにスイング練習をすることによりゴルフクラブのヘッドスピードが最大となる位置でボールをインパクトすることを習得できるようにしたことを特徴とするゴルフのスイング練習具。
【請求項３】
ゴルフのスイング練習具において、
一端側にグリップ部を有するシャフトと、そして、
前記シャフトの前記グリップ部側とは反対側の端部側にスイング動作に伴う風圧によって開く傘体開閉機構が設けられた傘体と、
を備えて構成され、
前記傘体がボールをインパクトすべき位置で開くようにスイング練習をすることによりゴルフクラブのヘッドスピードが最大となる位置でボールをインパクトすることを習得できるようにしたことを特徴とするゴルフのスイング練習具。
【請求項４】
請求項３に記載のゴルフのスイング練習具において、
前記グリップ部は長手方向に可動可能に設けられ、それにより前記シャフトの長さを調節可能とされていることを特徴とするゴルフのスイング練習具。
【請求項５】
請求項３又は４に記載のゴルフのスイング練習具において、
前記傘体開閉機構は、傘体が開いたときに音又は光を発し、開時位置を視覚又は聴覚で確認することができるようにされた開時位置告知機構をさらに有することを特徴とするゴルフのスイング練習具。
【請求項６】
請求項１〜５のいずれか１項に記載のゴルフのスイング練習具において、
前記傘体は、開時圧力を調節するための圧力調節機構を備えていることを特徴とするゴルフのスイング練習具。
【請求項７】
請求項１〜６のいずれか１項に記載のゴルフのスイング練習具において、
前記傘体を開いた状態で固定するロック機構と、そして、
開いた状態の前記傘体を閉じるロック解除機構と、
を備えて構成され、
前記傘体がスイング動作に伴って開くと当該傘体は前記ロック機構によって開いた状態で固定されると共に、ロック解除機構を動作させることにより開いた前記傘体が閉じられることを特徴とするゴルフのスイング練習具。
【請求項８】
請求項１〜７のいずれか１項に記載のゴルフのスイング練習具において、
前記シャフトの先端側にゴルフヘッドに近似の形状及び重さの重りを着脱可能にされたことを特徴とするゴルフのスイング練習具。
【発明の詳細な説明】
【０００１】
【発明の属する技術分野】
本発明は、ゴルフのスイング練習具において、より詳細には、ゴルファーのスイング動作によって受ける風圧によって、前記スイング練習具の先端側に設けられた傘体が開き、当該風圧を受けた傘体の抵抗により、スイング動作においてゴルファーの前腕が引っ張られて真っ直ぐに伸びると共に、腕の振りが遅れることによって、ゴルファーの腰の捻りが腕の振りに先行して生じ、腕の振りと腰の捻りの協調作用でゴルフボールを捕らえることができ、かつ、前記傘体が開くことによって、スイング中の最大ヘッドスピードの位置が分かり、当該位置を目標とするゴルフボールの位置に合わせる練習をすることによって、ヘッドスピードが最大となる位置でゴルフボールをインパクトすることを習得することができるゴルフのスイング練習具に関する。
【０００２】
【従来技術】
従来からゴルフはメジャーなスポーツとして親しまれ、様々な年齢層や経験層の人々に普及している。しかし、ゴルフが他のスポーツと大きく異なるところは、目標とするゴルフボールの位置がゴルファーの目の位置から遠く、ゴルフヘッドの最適な位置と角度でその小さなゴルフボールに当てることは容易ではなく、正確に当てることができるようになるためには的確な練習をし、かつ多くの練習量が必要となる。また、ゴルフボールに単に当てれば遠くに飛ぶというものではなく、飛距離を伸ばし、目標とする方向にゴルフボールを正確に飛ばすためには、体全体を使うことが重要であり、特に、腕と腰の捻りの協調作用によりゴルフボールを捕らえることが必要である。しかし、通常これは非常に難しく、多くの練習と経験が必要となる。
そのため、現在までに様々なゴルフ用の練習具が開発され市場に流通している。しかし、ゴルフは年齢や経験等で練習方法や練習具の種類も異なり、一般的には一律に決まるものではない。例えば、ゴルファーのスイングフォームの練習に重点を置く場合には、一般的に練習具自体が大きなものになってしまい、大変扱い難いものとなる。
ゴルフのスイング練習具は、以下に記載する種類に大別することができる。
【０００３】
まず、第一の分類は、経験の浅いゴルファーが最適なスイングフォームを体得することができるようにしたものである。スイング練習具はリンクで構成されており、そのスイング練習具のリンクの一つにゴルファーの肢体の一部又はゴルフクラブを固定し、ゴルファーがスイングすることによってリンクに従ってスイング動作をすることができ、一般的に最適と思われるスイングフォームを得ることができるスイング練習具である。特許文献１及び２に記載の発明はこのような分類に属するものである。
次に第二の分類は、ゴルフクラブの先端側からレーザー光等の可視光線を照射することによって、スイング動作中のゴルフクラブの軌跡をゴルファー自身が確認することができ、自己のスイングフォームを修正することができるようにしたスイング練習具である。特許文献３はこのような分類に属する発明である。
最後に第三の分類は、ゴルフのスイング練習具を適度な重さや大きさにすることによって、本物のゴルフクラブに近い感覚でスイングすることができるようにしたものである。特許文献４及び５に記載の発明はこのような分類に属するものである。
【０００４】
【特許文献１】
特開平７―００８５８８号公報  （第２〜５頁、第１、２図）
【特許文献２】
特開平８―０５７１００号公報  （第２〜７頁、第１〜３図）
【特許文献３】
特開平８―２４３２０２号公報  （第２頁、第１図）
【特許文献４】
特開平１０―０７６０３７号公報  （第２〜５頁、第１、９、２２、２３図）
【特許文献５】
特開平１１―１３７７５４号公報  （第２〜３頁、第１図）
【０００５】
しかし、特許文献１及び２に記載の発明は、ゴルファーの体の動きを強制的に制限して最適と考えられるスイングフォームにするため、ゴルファーの体格や運動能力等の個体差によっては、ゴルファーに過度の負担を強いる可能性があると共に、個体差に対応させるために、様々な調整装置が付属しており、通常このようなスイング練習具は大きな装置となってしまい、ゴルファーが個人で気軽にゴルフのスイング練習をすることはできない。
また、特許文献３に記載の発明は、ゴルフクラブのシャフト内部に可視光線の発信装置が組み込まれたものである。当該発信装置を組み込むことによって、必然的にグリップ部分やシャフト部分が大きく又重くなってしまうため、ゴルファーは使用に際して違和感があり、実際のスイングとかけ離れた感覚でスイングの練習をしなければならず、練習具による練習の成果が実際のスイングに反映されにくいという問題がある。
さらに、特許文献４及び５に記載の発明は、本物のゴルフクラブに近い感覚でスイングできることを目的としたものである。まず、特許文献４に記載の発明は、ゴルフクラブのグリップの後端側に延長部１５を取付けて、スイングした際に当該延長部１５がゴルファーの胴体部分に当たり、それ以降の動作を制限して、手首の返りを防止することができる発明である。しかし、当該発明は延長部１５があるためにスイング動作し難く、また延長部１５がゴルファーの胴体に当たるため、恐怖感から通常のスイングと同じように力一杯にスイングをすることができないという問題がある。次に特許文献５に記載の発明は、適度の太さと長さを有する棒をスイングすることによって、本物のゴルフクラブを握ってスイングするのに近い感覚で、スイングの練習ができる発明である。しかしながら、特許文献５に記載の発明は、単に適度な重さと空気抵抗を感じるようにしたゴルフ練習具にすぎないものである。
以上述べたように、前述の特許文献１〜５に記載の発明は、ゴルフボールに当てることを主目的としているものであり、本発明のように、ゴルファーのスイング動作による風圧によって、前記スイング練習具の先端側に設けられた傘体が開き、当該風圧を受けた傘体の抵抗によって、前記スイング動作におけるゴルファーの前腕が引っ張られて真っ直ぐに伸び、それによって腰の捻りが先行して生じて、ゴルフボールを腕と腰の捻りの協調作用で捕らえることができ、かつ、当該開いた傘体によって、ゴルフクラブのヘッドスピードが最大となる位置でボールをインパクトすることを習得できるといった技術的思想に基づいた発明ではない。
【０００６】
【発明が解決しようとする課題】
本発明は、ゴルフのスイング練習具に関し、より詳細には、ゴルファーのスイング動作によって受ける風圧によって、前記スイング練習具の先端側に設けられた傘体が開き、当該風圧を受けた傘体の抵抗によって、スイング動作におけるゴルファーの前腕が引っ張られて真っ直ぐに伸びると共に、腕の振りが遅れることによって、ゴルファーの腰の捻りが腕の振りに先行して生じ、腕の振りと腰の捻りの協調作用でゴルフボールを捕らえることができ、かつ、ゴルフのスイング練習具のシャフト先端側に設けられた傘体がスイングをすることで開くようにされていることによって、ゴルフボールをインパクトすべき位置で開くようにスイング練習をすることによりゴルフクラブのヘッドスピードが最大となる位置でボールをインパクトすることを習得できるようにしたゴルフのスイング練習具に関する。
【０００７】
【課題を解決するための手段】
上記課題を解決するために、請求項１に記載の発明は、ゴルフのスイング練習具において、シャフトの端部側に設けられ、スイング動作によって開くことにより、スイング動作を行っている使用者の腕に抵抗を与えると共に、所定の風圧を受けることによって開いた状態でロックされるように構成された傘体を備えていることによって、前記傘体の抵抗によって使用者の腕が後方に真っ直ぐに引っ張られて、当該腕の振り動作よりも使用者の腰の回転動作が先行するようにスイング動作をすることができ、使用者は特別に意識せずに腕の振り動作と腰の回転動作の強調動作によってスイングをする練習ができることを特徴とする。
【０００８】
上記課題を解決するために、請求項２に記載の発明は、ゴルフのスイング練習具において、シャフトの端部側にスイング動作に伴って開く傘体を設け、傘体がボールをインパクトすべき位置で開くようにスイング練習をすることによりゴルフクラブのヘッドスピードが最大となる位置でボールをインパクトすることを習得できるようにしたことを特徴とする。
【０００９】
上記課題を解決するために、請求項３に記載の発明は、ゴルフのスイング練習具において、一端側にグリップ部を有するシャフトと、そして、シャフトの前記グリップ部側とは反対側の端部側にスイング動作に伴う風圧によって開く傘体開閉機構が設けられた傘体と、を備えて構成され、傘体がボールをインパクトすべき位置で開くようにスイング練習をすることによりゴルフクラブのヘッドスピードが最大となる位置でボールをインパクトすることを習得できるようにしたことを特徴とする。
【００１０】
上記課題を解決するために、請求項４に記載の発明は、請求項３に記載のゴルフのスイング練習具において、グリップ部は長手方向に可動可能に設けられ、それによりシャフトの長さを調節可能とされていることを特徴とする。
【００１１】
上記課題を解決するために、請求項５に記載の発明は、請求項３又は４に記載のゴルフのスイング練習具において、傘体開閉機構は、傘体が開いたときに音又は光を発し、開時位置を視覚又は聴覚で確認することができるようにされた開時位置告知機構をさらに有することを特徴とする。
【００１２】
上記課題を解決するために、請求項６に記載の発明は、請求項１〜５のいずれか１項に記載のゴルフのスイング練習具において、傘体は、開時圧力を調節するための圧力調節機構を備えていることを特徴とする。
【００１３】
上記課題を解決するために、請求項７に記載の発明は、請求項１〜６のいずれか１項に記載のゴルフのスイング練習具において、傘体を開いた状態で固定するロック機構と、そして、開いた状態の傘体を閉じるロック解除機構と、を備えて構成され、傘体がスイング動作に伴って開くと当該傘体はロック機構によって開いた状態で固定されると共に、ロック解除機構を動作させることにより開いた前記傘体が閉じられることを特徴とする。
【００１４】
上記課題を解決するために、請求項８に記載の発明は、請求項１〜７のいずれか１項に記載のゴルフのスイング練習具において、シャフトの先端側にゴルフヘッドに近似の形状及び重さの重りを着脱可能にされたことを特徴とする。
【００１５】
【発明の実施の形態】
以下、本発明に係るゴルフのスイング練習具を図面に基づいて詳細に説明する。
図１は、本願発明に係るゴルフのスイング練習具１の一実施形態を示す全体図である。
まず、本発明に係るゴルフのスイング練習具１は、図１に示すように、シャフト１００と、当該シャフトの一端側に傘体２００を備えて構成されている。
【００１６】
シャフト１００は、図２に示すように、シャフト本体１１０と、グリップ部材１２０と、シャフト長さ調節機構１４０とを備えて構成されている。
【００１７】
図１又は図５に示すようにシャフト本体１１０は、非金属製若しくはカーボン製の断面略円形の棒状部材である。また、シャフト本体１１０は、長手方向の略中間の位置でくびれ形状となっており、当該くびれ部分前後を境にシャフト本体１１０の先端側は後端側よりも僅かに細くなっている。
本実施例では、シャフト本体１１０の材質は非金属製又はカーボン製の中空の断面略円形の部材を使用したが、スイングをしたときに所定の柔軟性と強度があり、ゴルフをするのに適した材質であればこれに限らず、また、シャフト本体１１０の断面についても例えば、楕円形又は四角形等でもよく、それぞれ中空部材でも良いことはいうまでもない。
【００１８】
シャフト本体１１０は、さらに、一端側に係合部１１２と他端側に移動部材スライド部１１４とを有しており、さらに係合部１１２側には凹部１１６を有している。また、後端側に形成された係合部１１２においてグリップ部材１２０とスライド可能に嵌合し、先端側に形成された移動部材スライド部１１４で移動部材２２４とスライド可能に嵌合するように構成されている。さらに係合部１１２側の一端には後端面１１２ａが設けられており、その後端面１１２ａの略中心にはネジ溝１１２ｂが形成されている。一方、移動部材スライド部１１４側の一端には先端面１１４ａが設けられており、さらにその先端面１１４ａには先端穴１１４ｂが形成されている。凹部１１６は、シャフト本体１１０の中空内面方向に向かって凸状に形成され、グリップ部材１２０に設けられた凸部１２６と嵌合したときに互いに円周方向に回転しないように構成されている。
【００１９】
グリップ部材１２０は、樹脂製で一端部側が断面中空の略円形の筒状部材である。当該グリップ部材１２０は、中空部１２２と把持部１２４と、中空部１２２の中空内面方向へ突起してなる凸部１２６と穴１２８を備えてなり、中空部１２２は、シャフト本体１１０に設けられた係合部１１２とスライド可能に嵌合し、さらに、凸部１２６はシャフト本体１１０に設けられた凹部１１６と嵌合してグリップ部材１２０がシャフト本体１１０に対して回転するのを防止している。前記穴１２８は、グリップ部材１２０の後端部側に設けられており、かつ、シャフト本体１１０と嵌合させたときに、ネジ溝１１２ｂと略同心円となるようにあけられている。
【００２０】
シャフト長さ調節機構１４０は、樹脂製又は金属製のハンドル１４２と、ネジ部１４４とを備えて構成されている。当該ネジ部１４４は、グリップ１２０に設けられた穴１２８側からグリップ部材１２０の中空部へ挿通され、さらにシャフト本体１１０の後端面１１２ａに形成れているネジ溝１１２ｂと螺合するように構成されている。
【００２１】
図２に示すように、シャフト長さ調節機構１４０のハンドル１４２をＥ方向に回転させると、シャフト本体１１０はネジ部１４４に沿ってＤ方向に移動する。また、逆にハンドル１４２をＥと逆方向に回転させると、シャフト本体１１０は前記とは逆に図２のＣ方向に移動する。つまり、ハンドル１４２をＥ方向に回転させるとシャフト１００の長さは全体として短くなり、また逆にハンドル１４２をＥと逆方向に回転させるとシャフト１００の長さは全体として長くなるように構成されている。これにより、ゴルファーの体格や好みに合わせたシャフト長さの調節が可能となる。
【００２２】
次に、図１及び５に示すように傘体２００は、傘骨２１０と、傘体開閉機構２２０と、圧力調節機構２３０と、開時位置告知機構２４０と、ロック機構２５０と、ロック解除機構２６０とを備えて構成されている。
【００２３】
傘骨２１０は、図５に示すように、第一の傘骨体２１２と第二の傘骨体２１４とから構成され、第一の傘骨体２１２は固定端２１２ａと、自由端２１２ｂとを有している。また、当該固定端２１２ａは傘体開閉機構２２０の傘基台２２２と可動可能に係合している。
【００２４】
次に、第二の傘骨体２１４は第一の固定端２１４ａと第二の固定端２１４ｂとを有しており、当該第一の固定端２１４ａは傘開閉機構２２０の移動部材２２４に可動可能に係合され、第二の固定端２１４ｂは第一の傘骨体２１２の自由端２１２ｂ側の略中間の位置に可動可能に係合されている。
【００２５】
傘体開閉機構２２０は、傘基台２２２と、移動部材２２４と、上限ストッパ２２６と、下限ストッパ２２８とを備えて構成されており、傘体２００が開いた時には、移動部材２２４が上限ストッパ２２６と当接してスライド移動は停止し、閉じた時には、下限ストッパ２２８と当接してスライド移動が停止するようになっている。
【００２６】
図４に示すように、傘基台２２２は、中空の断面略円形の筒状部材であり、シャフト本体１１０に設けられた係合部１１４の先端側に固定して設けられており、その外周に沿って所定の等間隔で複数の係合穴２２２ａが穿設されている。それぞれの係合穴２２２ａは第一の傘骨体２１２の固定端２１２ａと可動可能に係合している。
【００２７】
次に、移動部材２２４は、図３に示すように中空の断面略円形の部材であり、シャフト本体１１０に形成されている係合部１１４とスライド可能に係合しており、下側面にはさらにバネ受溝部２２４ｂが設けられており、当該バネ受溝部２２４ｂは圧力調整機構２３０のバネ２３２の一端と結合している。
【００２８】
図３又は図４に示すように、移動部材２２４の外周面には、傘骨結合溝２２４ａがその外周に沿って所定の等間隔で複数個穿設されており、各傘骨係合溝２２４ａには第二の傘骨体２１４の第一の固定端２１４ａが可動可能に係合している。
【００２９】
上限ストッパ２２６は、シャフト本体１１０の係合部１１４を挿通して嵌合されており、その側面に設けられたロックナット２２６ａを上限ストッパ２２６の側面に設けられたネジ溝と螺合させることによって、当該ロックナット２２６ａとシャフト本体１１０とが当接するようにされ、上限ストッパ２２６を係合部１１４の任意の位置で固定することができるようにされている。
【００３０】
下限ストッパ２２８は、図３に示すようにシャフト本体１１０の係合部１１４を挿通して勘合しており、側面に設けられたロックナット２２８ａを下限ストッパ２２８に設けられたネジ溝と螺合させることによって、当該ロックナット２２８ａとシャフト本体１１０とが当接し、下限ストッパ２２８を係合部１１４の所定の位置で固定することができるようにされている。
【００３１】
以上の傘体開閉機構２２０により、移動部材２２４がシャフト本体１１０に設けられた係合部１１４上を図５に示すＡ方向に移動すると、それと共に第二の傘骨体２１４もＡ方向に移動させられる。移動部材２２４がＡ方向に移動すると、第二の傘骨体２１４はシャフト本体の軸に対して略垂直方向に起き上がり、それによって第一の傘骨体２１２が持ち上げられると共にシャフト本体１１０の軸に対して略垂直方向に起き上がって傘骨２００が開く。逆に、移動部材２２４がＢ方向に移動すると、第二の傘骨体２１４も同じくＢ方向に移動し、第二の傘骨体２１４はシャフト本体１１０の軸と略平行になる。それにより、第一の傘骨体２１２がシャフト本体１１０方向に引っ張られてシャフト本体１１０の軸と略平行となり、傘体２００は閉じられた状態となる。
【００３２】
圧力調節機構２３０は、図３に示すように、バネ２３２と、調節用バネ下受部材２３４と、調節用ノブ部材２３６とを備えて構成されている。
【００３３】
バネ２３２の一端側は、傘体開閉機構２２０の移動部材２２４に設けられているバネ受溝部２２４ｂに固定されており、他端側は調節用バネ下受部材２３４の端面部に形成されているバネ下受溝部２３４ａに固定されている。本実施例では、バネ２３２を使用しているが、これに限らず、ゴム材等の他の弾性部材により代替可能である。
【００３４】
調節用バネ下受部材２３４は、金属製又は樹脂製の中空の断面略円形の部材であり、シャフト本体１１０の係合部１１４上を図３に示すＧ又はＨ方向にスライド可能に設けられている。また、その一端側はストレート部であり、他端側は３つのスリットにより後端側において３つに割れた形状のテーパ部２３４ｃが形成されている。当該ストレート部の外周面上には所定の範囲で雄ネジ部２３４ｅが設けられている。一方、前記テーパ部２３４ｃの中空部内側には、調整用ノブ部材２３６を回して締め付けることにより、調節用バネ下受部材２３４をシャフト本体１１０に係止するための係止凸部２３４ｂが３箇所に設けられている。本実施例では、３つのスリットを備えたテーパ部２３４ｃとしているが、２以上のスリット部が形成されていればこれに限らないことは言うまでもない。また、本実施例では、係止凸部２３４ｂはテーパ部２３４ｃの３箇所に設けられているが、少なくとも１又は２箇所以上であれば、も同様の効果が得られる。
【００３５】
調節用ノブ部材２３６は、中空の断面略円形の部材であり、その中空部内側面には雌ネジ部２３６ａが設けられている。その雌ネジ部２３６ａは調節用バネ下受部材２３４の外周面に設けられた雄ネジ部２３４ｅと螺合して当該雄ネジ部２３４ｅ上を回転しながら図３に示すＧ又はＨ方向に移動するように構成されている。
【００３６】
調節用ノブ部材２３６は、さらに中空部内側に向かって当該中空部を狭めるようにしてテーパ部２３６ｂが設けられており、調節用ノブ部材２３６を回転させると、当該調節用ノブ部材２３６はネジ部２３４ｅに沿って図３に示すＧ方向に移動し、調節用ノブ部材２３６に設けられたテーパ部２３６ｂと調節用バネ下受部材２３４のテーパ部２３４ｃとが当接して、テーパ部２３４ｃを図の矢印方向に押さえつける。
【００３７】
調節用ノブ部材２３６に設けられたテーパ部２３６ｂと調節用バネ下受部材２３４のテーパ部２３４ｃが当接し、調整用ノブ部材２３６をさらに回すと、テーパ部２３６ｂによって調節用バネ下受部材２３４に設けられたテーパ部２３４ｃは図３の先端側は矢印方向に締め付けられる。当該テーパ部２３４ｃが矢印方向に押し付けられると、テーパ部２３４ｃに設けられている係止凸部２３４ｂが、係合部１１４に設けられている複数のリング溝１１４ｃの一つと係合することによって、調節用バネ下受部材２３４は固定する。尚、本実施例では、調節用ノブ部材２３６の外周面にはローレット加工を施し、使用者が調節用ノブ部材２３６を回し易くしているが、使用者が扱いやすくするために他の加工を施したり、又は調節用ノブ部材２３６を多角形形状としても良いことはいうまでもない。
【００３８】
次に以上説明した圧力調節機構２３０の動作について説明する。
はじめに、調節用ノブ部材２３６は調節用バネ下受部材２３４のテーパ部２３４ｃを締め付けない状態とされており、この状態で、使用者であるゴルファー５００は前記調節用バネ下受部材２３４を所定の位置まで自由にスライドさせ、バネ２３２を所定の引っ張り力になるように調整する。ゴルファー５００が希望する引っ張り力となる位置まで調節用バネ下受部材２３４を移動させた後、調節用ノブ部材２３６をＩ方向に回して図３に示すＧ方向に移動させると、前述したように、調節用ノブ部材２３６のテーパ部２３６ｂが調節用バネ下受部材２３４に設けられたテーパ部２３４ｃを矢印方向に締め付けて、係止凸部２３４ｂが係合部１１４に形成されているリング溝１１４ｃに嵌合してお互いに係止状態となる。
【００３９】
次に、バネ２３２の圧力を再調整する場合には、調節用ノブ部材２３６を図３に示すＪ方向に回転させると、調節用ノブ部材２３６はＨ方向に移動し、テーパ部２３６ｂと当接して締め付けられていた調節用バネ下受部材２３４に設けられたテーパ部２３４ｃは、図３の矢印と反対方向に緩められ、調節用バネ下受部材２３４は係合部１１４上を自由にスライド可能とされる。従って、ゴルファー５００は再び所定の引っ張り力を得る位置まで調節用バネ下受部材２３４を移動させることができ、再度、固定すれば再調整作業が可能となる。本実施例では、調節用バネ下受部材２３４をＨ方向に移動させる程、バネ２３２は伸びてバネ２３２が移動部材２２４を引っ張る力が強くなり、ゴルファー５００が本発明に係るゴルフのスイング練習具１をスイングしたときに先端の傘体２００が開くのに大きな風圧が必要となり、逆に調節用バネ下受部材２３４をＧ方向に移動させる程、バネ２３２は縮んでバネ２３２が移動部材２２４を引っ張る力が弱くなり、ゴルファー５００が本発明に係るゴルフのスイング練習具１をスイングしたときに先端の傘体２００が小さな風圧で開くように調整される。
【００４０】
さらに、シャフト本体１１０に、圧力調節機構２３０の位置と風圧との関係を校正した目盛等を付しておくことによって、ゴルファー５００の体格や経験に合わせて傘体２００の開く強さを決め、それに合わせて予め所定の位置に設定することができる。
【００４１】
次に、図４を用いて開時位置告知機構２４０の説明をする。
開時位置告知機構２４０は、警告発生器２４２と、スイッチ部２４４とから構成され、係合部１１４上に、かつ上限ストッパ２２６に隣接して設けられている。
【００４２】
警告発生器２４２は、スイッチ部２４４が押圧されることにより音又は光を発するように構成され、傘体２００が開いた時に傘体開閉機構２２０の移動部材２２４が当該スイッチ部２４４と当接してスイッチ部２４４が押圧されるように設置されている。これにより、スイッチ部２４４が移動部材２２４に押圧されると警告発生器２４２が動作して警告音が鳴り又は先端に設けられた図示しない警告灯が点灯するようにされている。
【００４３】
これにより、移動部材２２４が開いてシャフト本体１１０の先端側へスライドし、開時位置告知機構２４０のスイッチ部２４４を押圧して、スイッチ部２４４と電気的又は機械的に接続された警告発生器２４２により警告音が発せられ又は警告灯が発光し、これによって、ゴルファー５００がスイングをした際の傘体２００の開時位置をゴルファー５００自身が容易に認識することができる。
【００４４】
次に、図４を用いてロック機構２５０及びロック解除機構２６０について説明する。
まず、ロック機構２５０は、ロックバネ２５２と、Ｖ字バネ２５３とを備えて構成されている。
【００４５】
ロックバネ２５２は、ストッパ部材２５２ａと、板バネ部２５２ｂを備えて構成されており、シャフト本体１１０の係合部１１４に設けられているロック機構収容溝部１１３に収容されるようにして設けられている。ストッパ部材２５２ａはロックバネ２５２の一端側に設けられ、板バネ部２５２ｂはその他端側に設けられている。当該ストッパ部材２５２ａは、その下側部分において、シャフト本体１１０の中空部内の内壁面に配置されたＶ字バネ２５３のバネの反力を受け、常に上方向（図４のＫと反対方向）に持ち上げられるようにして構成されている。
尚、本実施例では、Ｖ字板バネ２５３を用いたが、２枚の板を合わせ、当該板の間に図４に示すようにバネ２５５等の弾性体を挟むように構成したり、又は図中のＶ字板バネ２５３とストッパ部材２５２ａを一体成型により作成し、ストッパ解除ノブ部材２６２により押されたときにＶ字板バネ２５３部分で折り曲がることによってストッパ部材２５２ａが図４のＫ方向に倒れるように構成しても同様の機能が得られる。
【００４６】
次にロック機構２５０の動作について図４に基づいて説明する。
はじめに、傘体開閉機構２２０の移動部材２２４はＯの位置にあり、この状態では傘体２００は閉じられた状態となっている。ゴルファー５００が本発明に係るゴルフのスイング練習具１をスイングすることによって、そのスイングの際の風圧が傘体２００に作用する。当該風圧により移動部材２２４はシャフト本体１１０上を移動し、Ｐの位置に達する。移動部材２２０が当該Ｐの位置に達することによって、傘体２００が開く。ここで、移動部材２２４はロックバネ２５２に形成されたスロープ部２５２ｃに沿ってＡ方向に移動するが、この移動している移動部材２２４によって、ストッパ部材２５２ａはＫ方向に押し付けられる。移動部材２２４がさらに移動してストッパ部材２５２ａを越えてＰの位置に達すると、ストッパ部材２５２ａを押し付ける力はなくなり、ストッパ部材２５２ａはＶ字バネ２５３のバネ反力によりＫと反対方向に押し返され、元の位置に戻る。従って、当該Ｐの位置にあるストッパ部材２５２ａにより移動部材２２４は図４に示すようにロックされることとなる。
上記の、ロック機構２５０を有することによって、ゴルファー５００は自己のスイング中のどの位置で開いたかを確認することができる。
【００４７】
次に、ロック解除機構２６０は、ストッパ解除ノブ部材２６２と、バネ部材２６４とを備えて構成されている。
【００４８】
ストッパ解除ノブ部材２６２は、金属製又は非金属製の断面略円形の棒状の部材であり、先端側にはネジ部２６２ａが設けられ、他端側は、押圧部２６２ｂを備えて構成されている。
【００４９】
バネ部材２６４は、傘基台２２２の内部にバネが圧縮した状態で収容され、ストッパ解除ノブ部材２６２の先端側でその一部分と固定されている。
【００５０】
ストッパ解除ノブ部材２６２は、押圧部２６２ｂ側が傘基台２２２及びバネ部材２６４並びにシャフト本体１１０の中空部を挿通して軸方向に可動可能とされている。また、挿通された当該押圧部２６２ｂは、Ｖ字板バネ２５３の一の面の近くに位置するようにされ、ストッパ解除ノブ部材２６２のネジ部２６２ａ側の先端部が押圧されると、図４に示すＱ方向に移動し、他端側の押圧部２６４ｂによってＶ字板バネ２５３の当該一の面が押し倒され（図４のＩ方向）、ロック機構２５０の板バネ部２５２ｂのバネ力によりストッパ部材２５２ａは図４に示すＧ方向に下がる。これにより、移動部材２２４の固定状態が解除され、移動部材２２４は、バネ２３２の引っ張り力により、図４に示すＢ方向に引き寄せられて閉じるようにされている。
【００５１】
次に、以上説明したゴルフのスイング練習具１の動作について説明する。
まず、図１又は図５に示すように使用者であるゴルファー５００は、ゴルフのスイング練習具１のグリップ部材１２０を握り、ゴルフのスイング練習具１の長さを確認する。ゴルファー５００の体格や趣向に合わない場合には、シャフト長さ調節機構１４０に設けられているグリップ長さ調整ネジ１４２を図５に示すＥ方向に回して、シャフト本体１１０とグリップ部材１２０と相対的な長さを変え、シャフト１００の全体の長さを調節する。
次に、ゴルファー５００は、通常のゴルフのスイングを行って（図６に示すＳ方向）、ゴルフのスイング練習具１を振ってみる。このとき、ゴルファー５００の前腕５１０は、傘体２００に作用する風圧の抵抗により図６に示すＳ方向とは逆方向に引っ張られて、前腕５１０が伸びる。ダウンスイングの初期段階において風圧による抵抗が少なくダウンスイング動作全体を通して前腕が引っ張られる感じが足りないと思った場合には、下限ストッパ２２８をシャフト本体１１０の先端側に移動させて、傘体２００を閉じた状態でもある程度開いた状態にしておく。このようにすることによって、ダウンスイングの初期段階から大きな抵抗を受けることができる。このようにして、前腕５１０が引っ張られて振り動作が遅れることにより、ゴルファー５００の腰の回転（図６に示すＴ方向）が先行するように作用するので、ヘッドのブレが少なく図示しないゴルフボールに最大ヘッドスピードで当たった時には、最適な角度で当たり、かつ飛距離も伸びることとなる。ことろが、スイングの際の風圧により、図示しないゴルフボールの位置よりも手前の位置で傘体２００が開き、開時位置告知機構２４０により音が鳴った場合には、主に次の３つの原因が考えられる。一つ目は、圧力調節機構２３０により設定したバネ２３２の引っ張り力が弱い。二つ目は、ゴルファー５００のダウンスイングの初期動作が速い。最後の三つ目は、ダウンスイングの初期に最大のスイングスピードが出ている。
【００５２】
前記の一つ目が原因である場合には、圧力調節機構２３０の調節用バネ下受部材２３４を回してバネ２３２の力を強める方向に調節して、再度スイングをする。この時、図示しないゴルフボールの位置で傘体２００が開いた場合には、当該ゴルフボールの位置でヘッドスピードが最大となり、スイングは良いことが分かる。一方、図示しない前記ゴルフボールの位置よりも手前で開いた場合には、再度圧力調節機構２３０により再調節を行い、前記ゴルフボールの位置で傘体２００が開くようになるまで、圧力調節機構２３０によりバネ２３２の調節を繰り返す。
【００５３】
前記の二つ目が原因である場合には、圧力調節機構２３０によりバネ２３２の引っ張り力を強くする方向に調節する。又はインパクトまでのスイングをゆっくりにするかのいずれかにより、図示しないゴルフボールの位置で傘体２００が開くように調節する。
【００５４】
前記の三つ目が原因である場合には、ゴルファー５００のインパクトまでのスイングをゆっくりにして、所定のゴルフボールの位置で傘体２００が開くようにスイングフォームを修正する。また、このようにダウンスイングの初期段階で最大のスイングスピードとなってしまう場合には、図３又は図５に示す下限ストッパ２２８をシャフト本体１１０の先端側に移動させて、傘体２００を最大に閉じても当該傘体２００が開いた状態になるように調整しておく。このように調整をすることによって、スイングをした時に傘体２００が開いて風圧によるある程度の抵抗を受けるまでのタイムラグを極力少なくすることができ、ゴルファー５００はダウンスイングの初期段階から風圧によって、より大きな抵抗を受けて自然とダウンスイングをゆっくりと行うことができる。この下限ストッパ２２８の調整はゴルファー５００の体格やスイングの癖等により個別に調整するのが望ましい。
【００５５】
一方、前記一つ目又は二つ目の原因により、傘体２００が図示しないゴルフボールの位置を越えた後に開いた場合、又はスイングが終了しても開かなかった場合には、圧力調節機構２３０を調節してバネ２３２の引っ張り力を弱めて、ゴルフボールの位置で傘体２００が開くように調節する。そのように調節された本発明に係るゴルフのスイング練習具１は、その調節時のフォームにおいて当該ゴルフボールの位置でヘッドスピードが最大となるものであるから、その後は、その設定を変更せず、当該ゴルフボール２００の位置で傘体２００が開くようにゴルファー５００のスイングフォームを修正するようにする。
このようにして、スイングを練習することにより、ゴルファー５００は、非常に手軽に最適なスイングフォームを体で覚えることができる。
【００５６】
次に、本発明に係る圧力調節機構２３０の第二の実施形態について、図７に基づいて詳細に説明する。
第二の実施例に係る圧力調節機構２３０は、図７に示すように、バネ２３２と、調節用バネ下受部材２３４と、調節用ノブ部材２３６とを備えて構成されている。
【００５７】
バネ２３２の一端側は、傘体開閉機構２２０の移動部材２２４に設けられているバネ受溝部２２４ｂと結合されており、他端は調節用バネ下受部材２３４の端面部に形成されているバネ下受溝部２３４ａに固定されている。本実施例では、バネ２３２を使用しているが、これに限らず、ゴム材等の他の弾性部材により代替可能である。
【００５８】
調節用バネ下受部材２３４は、金属製又は樹脂製の中空の断面略円形の部材であり、一端側はストレート部であり、他端側はテーパ部２３４ｃが形成されている。当該ストレート部には所定の範囲で雄ネジ部２３４ｅが設けられている。一方、中空部の内側面には一端側から所定の範囲で雌ネジ溝２３４ｆが設けられている。当該調節用バネ下受部材２３４の雌ネジ溝２３４ｂはシャフト本体１１０の所定の位置に設けられたネジ部１１２ｃと螺合し、調節用バネ下受部材２３４は回転しつつネジ部１１２ｃに沿ってシャフト本体１１０の長手方向に移動するように構成されている。
【００５９】
調節用ノブ部材２３６は、中空の断面略円形の部材であり、その中空内側面には雌ネジ部２３６ａが設けられている。その雌ネジ部２３６ａは調節用バネ下受部材２３４の外周面に設けられた雄ネジ部２３４ｅと螺合して当該雄ネジ部２３４ｅ上を回転し、かつ、スライドして移動するようにされている。
【００６０】
次に、図３を基に圧力調節機構２３０の動作について説明する。
さらに調節用ノブ部材２３６には、中空部内側に向かって当該中空部を狭めるようにしてテーパ部２３６ｂが設けられており、調節用ノブ部材２３６を回転させることによって、当該調節用ノブ部材２３６を調節用バネ下受部材２３４に沿って、図３のＧ方向に移動させると、調節用ノブ部材２３６に設けられたテーパ部２３６ｂと調節用バネ下受部材２３４のテーパ部２３４ｃとが当接して係合する。
【００６１】
前述のように、調節用ノブ部材２３６に設けられたテーパ部２３６ｂと調節用バネ下受部材２３４のテーパ部２３４ｃが当接することにより、調整用ノブ部材２３６は調節用バネ下受部材２３４と嵌合し、その後は、調整用ノブ部材２３６を図３に示すＩ方向に回転させると、調整用ノブ部材２３６と調節用バネ下受部材２３４が係合した状態で一体となってシャフト本体１１０のネジ部１１２ｃを軸方向に移動する。
【００６２】
調節用バネ下受部材２３４に形成されているバネ下受溝部２３４ａと移動部材２２４に形成されているバネ受溝部２２４ｂとの間に挟まれたバネ２３２が圧縮されて傘体２００を引っ張る力が弱くなり、傘体２００は弱い圧力で開くようになる。
【００６３】
次に、調節用バネ下受部材２３４を図３に示すＪ方向に回転させると、調節用バネ下受部材２３４と調整用ノブ部材２３６は係合した状態で一体となって係合部１１４上をＨ方向に移動する。従って、バネ２３２が伸びることによって、バネ２３２が移動部材２２４を引っ張る力が強くなるので、この場合には、傘体２００を開くために前述の場合よりも強い圧力が必要となる。
【００６４】
【発明の効果】
以上説明したように、本発明によるゴルフのスイング練習具によれば、シャフトの端部側に設けられ、スイング動作によって開くことにより、スイング動作を行っている使用者の腕に抵抗を与えると共に、所定の風圧を受けることによって開いた状態でロックされるように構成された傘体を備えていることによって、、スイング動作時に傘体が開き、当該傘体の抵抗によって使用者の腕が後方に真っ直ぐに引っ張られることによって、当該腕の振り動作よりも使用者の腰の回転動作が先行するようにスイング動作をすることができ、使用者は意識せずに腕の振り動作と腰の回転動作によってスイング動作をする練習ができるので、的確なスイングフォームでゴルフボールを打つ練習ができるという効果がある。
【００６５】
また、本発明によるゴルフのスイング練習具によれば、シャフトの端部側にスイング動作に伴って開く傘体を設け、傘体がボールをインパクトすべき位置で開くようにスイング練習をすることによりゴルフクラブのヘッドスピードが最大となる位置でボールをインパクトすることを習得できるので、手軽にかつ使用者に無理を強いずにゴルフボールの位置にヘッドのインパクトを合わせることができる効果がある。
【００６６】
また、グリップ部は長手方向に可動可能に設けられ、それによりシャフトの長さを調節可能とされているので、使用者の経験や体格によって前記シャフトの長さを合わせることが出来るという効果がある。
【００６７】
また、傘体開閉機構は、傘が開いたときに音又は光を発し、開時位置を視覚又は聴覚で確認することができるようにされた開時位置告知機構をさらに有するので、使用者は視覚又は聴覚でインパクト位置を性格に把握することができるという効果がある。
【００６８】
また、傘体は、開時圧力を調節するための圧力調節機構を備えているので、使用者のスイングする力によってその使用者に合った所定の圧力に設定することができるという効果がある。
【００６９】
また、傘体を開いた状態で固定するロック機構と、そして、開いた状態の前記傘体を閉じるロック解除機構と、を備えて構成され、傘体がスイング動作に伴って開くと傘体はロック機構によって開いた状態で固定されると共に、ロック解除機構を動作させることにより開いた傘体が閉じられるので、使用者はスイングを終了し、傘体が開いた状態から、先端部分を地面等に突くだけで簡単にロックを解除して再度スイングの練習ができるという効果がある。
【００７０】
また、シャフトの先端側にヘッドに近似の形状及び重さの重りを着脱可能に構成されているので、使用者は実際のゴルフクラブの感覚でスイングすることができ、自分の好みに合ったヘッドを選択することができるという効果がある。
【図面の簡単な説明】
【図１】本発明の一実施形態に係るゴルフ・スイング・インパクト練習具１の一部断面の全体図である。
【図２】（ａ）は本発明に係るシャフト長さ調節機構１４０の側面を表す断面図であり、（ｂ）はその正面図である。
【図３】（ａ）は本発明に係る圧力調整機構２３０の側面を表す断面図であり、（ｂ）はその背面図である。
【図４】は本発明に係るロック機構２５０及びロック解除機構２６０を表す平面図及びその正面を表す断面図である。
【図５】本発明に係るゴルフ・スイング・インパクト練習具１を表す概略斜視図である。
【図６】本発明に係るゴルフ・スイング・インパクト練習具１の使用態様を表わす図である。
【図７】は本発明に係る圧力調整機構２３０の第二の実施形態を表す断面側面図であり、（ｂ）はその背面図である。
【符号の説明】
１  ゴルフ・スイング・インパクト練習具
１００  シャフト
１１０  シャフト本体
１１２  係合部
１１２ａ  後端面
１１２ｂ  ネジ部
１１３  ロック機構収容溝部
１１４  傘基台スライド部
１１４ａ  先端面
１１４ｂ  先端穴
１１４ｃ  リング溝
１１６  凹部
１２０  グリップ部材
１２２  中空部
１２４  把持部
１２６  凸部
１２８  穴
１４０  シャフト長さ調節機構
１４２  ハンドル
１４４  ネジ部
２００  傘体
２１０  傘骨
２１２  第一の傘骨体
２１２ａ  固定端
２１２ｂ  自由端
２１４  第二の傘骨体
２１４ａ  第一の固定端
２１４ｂ  第二の固定端
２２０  傘体開閉機構
２２２  傘基台
２２２ａ  係合穴
２２４  移動部材
２２４ａ  傘骨結合溝
２２４ｂ  バネ受溝部
２２６  上限ストッパ
２２８  下限ストッパ
２２９  警告器
２３０  圧力調節機構
２３２  バネ
２３４  調節用バネ下受部材
２３４ａ  バネ下受溝部
２３４ｂ  係止凸部
２３４ｃ  テーパ部
２３４ｄ  雄ネジ部
２３４ｅ  雄ネジ部
２３４ｆ  雌ネジ溝
２３６  調節用ノブ部材
２３６ａ  雄ネジ溝
２３６ｂ  テーパ部
２４０  開時位置告知機構
２４２  警告発生器
２４４  スイッチ部
２５０  ロック機構
２５２  ロックバネ
２５２ａ  ストッパ部材
２５２ｂ  板バネ部
２５２ｃ  スロープ部
２５３  Ｖ字バネ
２６０  ロック解除機構
２６２  ストッパ解除ノブ部材
２６２ａ  ネジ部
２６２ｂ  押圧部
２６４  バネ部材
３００  ヘッド
５００  ゴルファー
５１０  前腕
【図１】
2004313436.tif 000003
【図２】
2004313436.tif 000004
【図３】
2004313436.tif 000005
【図４】
2004313436.tif 000006
【図５】
2004313436.tif 000007
【図６】
2004313436.tif 000008
【図７】
2004313436.tif 000009